【手続補正書】
【提出日】平成17年3月31日(2005.3.31)
【手続補正１】
【補正対象書類名】明細書
【補正対象項目名】発明の名称
【補正方法】変更
【補正の内容】
【発明の名称】光ディスク装置及び光ディスク
【手続補正２】
【補正対象書類名】明細書
【補正対象項目名】特許請求の範囲
【補正方法】変更
【補正の内容】
【特許請求の範囲】
【請求項１】
同心円状又は螺旋状の記憶領域を有する光ディスクへデータを記録する光ディスク装置において、
前記光ディスクを所定回転数で回転する回転手段と、
前記回転手段が回転する光ディスク上にレーザビームを照射し、この反射波の波形パターンに応じた所定時間幅のデータ列を含む再生信号を生成する再生信号生成手段と、
前記再生信号生成手段が生成した再生信号が含む所定時間幅のデータ列に対応した、前記所定時間幅でのデータ列を含む理想信号を生成する理想信号生成手段と、
前記再生信号生成手段が生成した再生信号が含む前記所定時間幅のデータ列と、前記理想信号生成手段が生成した理想信号が含む前記所定時間幅のデータ列とを比較して、この比較結果に基づき、波形補償量を決定する波形補償量決定手段と、
外部から受けた記録データに所定処理を施し、前記波形補償量決定手段が決定した前記波形補償量に基づいて、記録波形パルスを生成する記録波形生成手段と、
前記記録波形生成手段が生成する前記記録波形パルスに応じてレーザビームを発生し、これを前記光ディスクの記憶領域に照射して前記記録データを記録する記録手段と、
を具備することを特徴とする光ディスク装置。
【請求項２】
同心円状又は螺旋状の記憶領域を有する光ディスクへデータを記録する光ディスク装置において、
前記光ディスクを所定回転数で回転する回転手段と、
前記回転手段が回転する光ディスク上にレーザビームを照射し、この反射波をＡ／Ｄ変換して変換したデジタルデータの波形パターンに応じた所定時間幅のデータ列を含む再生信号を生成する再生信号生成手段と、
前記再生信号生成手段が出力する所定時間幅のデジタルデータ列についてＰＲＭＬ方式で復号処理して、識別データを抽出する抽出手段と、
前記抽出手段が抽出した前記識別データに基づいて、前記再生信号生成手段が生成した生成信号が含む所定時間幅のデータ列に対応した、前記所定時間幅でのデータ列を含む理想信号を生成する理想信号生成手段と、
前記再生信号生成手段が生成した再生信号が含む前記所定時間幅のデータ列と、前記理想信号生成手段が生成した理想信号が含む前記所定時間幅のデータ列とを比較して、この比較結果に基づき、波形補償量を決定する波形補償量決定手段と、
外部から受けた記録データに所定処理を施し、前記波形補償量決定手段が決定した前記波形補償量に基づいて、記録波形パルスを生成する記録波形生成手段と、
前記記録波形生成手段が生成する前記記録波形パルスに応じてレーザビームを発生し、これを前記光ディスクの記憶領域に照射して前記記録データを記録する記録手段と、
を具備することを特徴とする光ディスク装置。
【請求項３】
前記波形補償量決定手段は、
前記再生信号生成手段が生成した再生信号が含む前記所定時間幅のデータ列と、前記理想信号生成手段が生成した理想信号が含む前記所定時間幅のデータ列とを比較して、前記再生信号生成手段が出力する前記所定時間幅のデータ列の波形パターンを判断する波形パターン判断手段と、
前記波形パターン判断手段が判断した波形パターンに応じた誤差量パラメータを算出し、これに基づいて波形補償量を決定する波形補償量決定手段と、
を有することを特徴とする請求項１に記載される光ディスク装置。
【請求項４】
前記波形補償量決定手段は、
前記再生信号生成手段が生成した再生信号が含む前記所定時間幅のデータ列と、前記理想信号生成手段が生成した理想信号が含む前記所定時間幅のデータ列とを比較して、前記再生信号生成手段が出力する前記所定時間幅のデータ列の波形パターンを判断する波形パターン判断手段と、
前記波形パターン判断手段が判断した波形パターンのマークの長さ、スペースの長さに対応した誤差量パラメータを算出し、これに基づいて波形補償量を決定する波形補償量決定手段と、
を有することを特徴とする請求項１に記載される光ディスク装置。
【請求項５】
同心円状又は螺旋状の記憶領域を有する光ディスクへデータを記録する光ディスク装置において、
前記光ディスクを所定回転数で回転する回転手段と、
前記回転手段が回転する光ディスク上にレーザビームを照射し、この反射波の波形パターンに応じた所定時間幅のデータ列を含む再生信号を生成する再生信号生成手段と、
外部から受けた記録データに基づいて、前記所定時間幅のデータ列に対応した前記所定時間幅でのデータ列を含む理想信号を生成する理想信号生成手段と、
前記再生信号生成手段が生成した再生信号が含む前記所定時間幅のデータ列と、前記理想信号生成手段が生成した理想信号が含む前記所定時間幅のデータ列とを比較して、この比較結果に基づき、波形補償量を決定する波形補償量決定手段と、
前記外部から受けた記録データに所定処理を施した記録信号により、前記波形補償量決定手段が決定した前記波形補償量に基づいて、記録波形パルスを生成する記録波形生成手段と、
前記記録波形生成手段が生成する前記記録波形パルスに応じてレーザビームを発生し、これを前記光ディスクの記憶領域に照射して前記記録データを記録する記録手段と、
を具備することを特徴とする光ディスク装置。
【請求項６】
同心円状又は螺旋状の記憶領域を有する光ディスクへデータを記録する光ディスク装置において、
前記光ディスクを所定回転数で回転する回転手段と、
前記回転手段が回転する光ディスク上にレーザビームを照射し、この反射波の波形パターンに応じた所定時間幅のデータ列を含む再生信号を生成する再生信号生成手段と、
事前に用意された参照レベルデータに基づいて、前記所定時間幅をもつデータ列に対応した前記所定時間幅のデータ列を含む理想信号を供給する理想信号供給手段と、
前記再生信号生成手段が生成した再生信号が含む前記所定時間幅のデータ列と、前記理想信号供給手段から供給された前記理想信号が含む前記所定時間幅のデータ列とを比較して、この比較結果に基づき、波形補償量を決定する波形補償量決定手段と、
外部から受けた記録データに所定処理を施した記録信号により、前記波形補償量決定手段が決定した前記波形補償量に基づいて、記録波形パルスを生成する記録波形生成手段と、
前記記録波形生成手段が生成する前記記録波形パルスに応じてレーザビームを発生し、これを前記光ディスクの記憶領域に照射して前記記録データを記録する記録手段と、
を具備することを特徴とする光ディスク装置。
【請求項７】
同心円状又は螺旋状の記憶領域を有する光ディスクへデータを記録する光ディスク装置において、
前記光ディスクを所定回転数で回転する回転手段と、
前記回転手段が回転する光ディスク上にレーザビームを照射し、この反射波の波形パターンに応じた所定時間幅のデータ列を含む再生信号を生成する再生信号生成手段と、
前記再生信号生成手段が生成した再生信号が含む所定時間幅のデータ列に対応した、前記所定時間幅でのデータ列を含む理想信号を生成する理想信号生成手段と、
前記再生信号生成手段が生成した再生信号が含む前記所定時間幅のデータ列と、前記理想信号生成手段が生成した理想信号が含む前記所定時間幅のデータ列とを比較して、前記再生信号生成手段が出力する前記所定時間幅のデータ列の波形パターンの先行スペース長とマーク長及び後続スペース長とマーク長を判断する波形パターン判断手段と、
前記波形パターン判断手段が判断した波形パターンの先行スペース長とマーク長及び後続スペース長とマーク長に対応した誤差量パラメータを算出し、これに基づいて波形補償量を決定する波形補償量決定手段と、
外部から受けた記録データに所定処理を施し、前記波形補償量決定手段が決定した前記波形補償量に基づいて、記録波形パルスを生成する記録波形生成手段と、
前記記録波形生成手段が生成する前記記録波形パルスに応じてレーザビームを発生し、これを前記光ディスクの記憶領域に照射して前記記録データを記録する記録手段と、
を具備することを特徴とする光ディスク装置。
【請求項８】
同心円状又は螺旋状の記憶領域を有する光ディスクに記録されたデータを再生する光ディスク装置において、
請求項１乃至７の少なくとも１つに記載される光ディスク装置の前記波形補償量決定手段により決定された波形補償量に基づいて生成された前記記録波形により所定データが記録されることを特徴とする光ディスクを所定回転数で回転する回転手段と、
前記回転手段が回転する光ディスク上にレーザビームを照射し、前記所定データを検出する検出手段と、
前記検出手段が検出した前記所定データに所定処理を施して再生する再生手段と、
を具備することを特徴とする光ディスク装置。
【請求項９】
同心円状又は螺旋状の記憶領域を有する光ディスク媒体であって、請求項１乃至７の少なくとも１つに記載される光ディスク装置の前記波形補償量決定手段により決定された波形補償量に基づいて生成された前記記録波形により、所定データが記録されることを特徴とする光ディスク。